(57)【要約】【課題】光学装置を分解することなく、光学装置の隙間内に入り込んでしまった毛羽や塵埃等のゴミを、好ましく除去することができる塵埃吸引装置を提供する。【解決手段】ノズルホースの先端２０ｂ側には、光学装置の隙間内の奥まで挿入可能なノズル部３０が設けられ、このノズル部３０は、弾性材料で構成され、緩やかに湾曲した形状で形成されている。また、そのノズル部３０の先端部３０ａには、先端部３０ａを形成する側壁３１ａを斜めに輪切りするようにして切りかかれることにより形成された先端吸引口３１が設けられている。【選択図】図２
2008242120.tif 000002
【特許請求の範囲】
【請求項１】
入射した光束を画像情報に応じて変調する複数の光変調装置、および前記複数の光変調
装置を取り付けるための複数の光束入射側端面を有し前記複数の光変調装置にて変調され
た各光束を合成する色合成光学装置が一体化された光学装置に用いられ、前記光学装置に
付着した塵埃を吸引して除去する塵埃吸引装置であって、
吸引風を発生させる吸引装置本体と、基端側が前記吸引風を受けるように前記吸引装置
本体に取り付けられ且つ先端側に前記光変調装置と前記色合成光学装置との隙間内に挿入
可能なノズル部を備えたノズルホースとを具備し、
前記ノズル部は、弾性材料で構成されていることを特徴とする塵埃吸引装置。
【請求項２】
請求項１に記載の塵埃吸引装置において、
前記ノズル部は、前記ノズル部の長さ方向に対して、湾曲する形状で形成されているこ
とを特徴とする塵埃吸引装置。
【請求項３】
請求項１または請求項２に記載の塵埃吸引装置において、
前記ノズル部の先端に備えられる先端吸引口は、前記ノズル部の先端部を形成する側壁
を斜めに輪切りするようにして形成されていることを特徴とする塵埃吸引装置。
【請求項４】
請求項１から請求項３のうち何れか一項に記載の塵埃吸引装置において、
前記ノズル部は、帯電防止性を有する樹脂材料により形成されていることを特徴とする
塵埃吸引装置。
【発明の詳細な説明】
【技術分野】
【０００１】
本発明は、プロジェクタに内蔵される光学装置の隙間に入り込んだ、毛羽や塵埃等のゴ
ミを吸引して除去するための塵埃吸引装置に関する。
【背景技術】
【０００２】
従来から、光源から射出された光束をダイクロイックミラー等を用いた色分離光学系に
よって三原色の赤、緑、青の色光に分離するとともに、液晶パネル等を用いた３つの光変
調装置により色光毎に画像情報に応じて変調し、画像変調後の各色光をクロスダイクロイ
ックプリズム（色合成光学装置）で合成し、投射レンズを介してカラー画像を拡大投射す
る、いわゆる三板式のプロジェクタが知られている。この種のプロジェクタにおいては、
この液晶パネル等を用いた３つの光変調装置と、クロスダイクロイックプリズムとを一体
化させて、光学装置として構成している（例えば、特許文献１参照）。
【０００３】
一方、この光学装置の製造にあっては、各種の組み立て工程において、毛羽や塵埃等の
ゴミが、光変調装置とクロスダイクロイックプリズムとの隙間に入り込んでしまうことが
ある。特に、このようなゴミが光変調装置を構成する液晶パネルに付着しまっていること
がある。
このように液晶パネルにゴミが付着していると、光を変調させるにあたって不具合を起
こしてしまうことがある。この液晶パネルにゴミが付着しているか否かの確認は、製品チ
ェックとなる検査工程段階において行われる。
【０００４】
検査工程において、液晶パネルに毛羽や塵埃等のゴミが付着していると発見した場合に
は、光変調装置とクロスダイクロイックプリズムとの隙間に、粘着剤が塗布された綿棒を
挿入し、この綿棒にゴミを付着させて取ろうとしたりしていた。また、光変調装置とクロ
スダイクロイックプリズムとの隙間に存するゴミめがけてエア（空気）を吹きつけ、ゴミ
を吹き飛ばすようにして除去しようとしたりしていた。
【０００５】
【特許文献１】特開２００５−２３４１２４号公報
【発明の開示】
【発明が解決しようとする課題】
【０００６】
しかしながら、粘着剤が塗布された綿棒により除去しようとした場合には、ゴミを綿棒
にうまく付着させれなかったり、逆に粘着剤自体や粘着剤に付着したゴミを各部に付着さ
せてしまうきらいがある。また、エアを吹きつけてゴミを吹き飛ばそうとした場合には、
ゴミを単に移動させるだけで、根本的なゴミの除去には至らないものとなっていた。
なお、この組み立てられた光学装置を分解してゴミを取り除こうとすると、作業的にも
煩雑な上、各部に傷をつけてしまう虞がある。
【０００７】
本発明は、このような事情に鑑みなされたものであって、その目的は、毛羽や塵埃等の
ゴミが、光学装置の隙間に入り込んでしまっている場合（主として液晶パネルに付着して
いる場合）であっても、この光学装置を分解することなく、また光学装置を傷つけること
なく、これらのゴミを好ましく容易に除去することができる塵埃吸引装置を提供すること
にある。
【課題を解決するための手段】
【０００８】
上述した課題を解決するために、本発明は、以下の手段の塵埃吸引装置を提供する。
なお、本発明に係る塵埃吸引装置は、入射した光束を画像情報に応じて変調する複数の
光変調装置、および複数の光変調装置を取り付けるための複数の光束入射側端面を有し複
数の光変調装置にて変調された各光束を合成する色合成光学装置が一体化された光学装置
に用いられるものであって、この光学装置に付着した塵埃を吸引して除去するためのもの
である。さらに、このゴミを除去しようとする対象の特には、光変調装置と色合成光学装
置の間に存し、主として光変調装置を構成する液晶パネルに付着しているゴミである。
【０００９】
すなわち、本発明に係る塵埃吸引装置は、吸引風を発生させる吸引装置本体と、基端側
が前記吸引風を受けるように前記吸引装置本体に取り付けられ且つ先端側に前記光変調装
置と前記色合成光学装置との隙間内に挿入可能なノズル部を備えたノズルホースとを具備
し、前記ノズル部は、弾性材料で構成されていることを特徴とする。
【００１０】
この塵埃吸引装置によれば、光学装置に形成された隙間内に、毛羽や塵埃等のゴミが入
り込んでしまった場合であっても、ノズル部を好適に挿入させて、これらのゴミを好適に
吸引することができる。
なお、そのノズル部の具体的設定事項としては、例えば、その外径幅が少なくとも光変
調装置と色合成光学装置との隙間幅より小さく設定され、その長さが少なくとも光学装置
の隙間内の奥まで届く長さに設定されること等が挙げられる。また、ノズル部は、このよ
うに設定されていると、この光変調装置と色合成光学装置との隙間に好ましく挿入させる
ことができるうえ、この光学装置の隙間内の奥まで届くことができる。
【００１１】
さらに、このノズル部は、弾性材料で構成され、弾性を有しながら曲がるようになって
いる。これによって、このノズル部が光学装置を構成する各部に衝突した場合であっても
、このノズル部は、すぐに曲がって、この衝突による衝撃を緩衝させることができる。し
たがって、ゴミを吸引して除去することができながら、この光学装置を構成する各部を傷
つけない利が得られる。また、ゴミが吸引し難い位置にあったともしても、適宜に押し当
てるようにノズル部を曲げさせることができる上、弾性による形状復元性も有するので、
このノズル部の先端に備えられる先端吸引口は、ゴミの吸引しやすい向きに向け易いもの
となる。
【００１２】
また、上述の塵埃吸引装置は、前記ノズル部が、前記ノズル部の長さ方向に対して、湾
曲する形状で形成されていることが好ましい。
このようにノズル部が、ノズル部の長さ方向に対して湾曲する形状で形成されていると
、このノズル部が光学装置を構成する各部に衝突した場合や、このノズル部を故意に押し
当てて曲げるような場合であっても、予め曲がっているので、その曲がり方向に向けて簡
単に曲がり易くなって、この衝突による衝撃を緩衝させることができる。さらにゴミ吸引
時におけるハンドリングに優れるものとなる。
【００１３】
また、上述の塵埃吸引装置は、前記ノズル部の先端に備えられる先端吸引口が、前記ノ
ズル部の先端部を形成する側壁を斜めに輪切りするようにして形成されていることが好ま
しい。
このようにノズル部の先端に備えられる先端吸引口が、ノズル部の先端部を形成する側
壁を斜めに輪切りするようにして形成されていると、ノズル部の長さ方向と直交するよう
な、横方向に存するゴミも吸引させ易いものにして、除去作業の効率性を高める。さらに
、この先端部を形成する側壁を直交する方向に輪切りすることにより形成される通常の先
端吸引口に比して、その開口面積を拡大させた吸引口とすることができる。したがって、
この塵埃吸引装置は、ゴミを、先端吸引口から吸入させ易いものになり、ゴミの除去作業
の効率性も高めるし、また大きなゴミも吸い取り易いものになる。
【００１４】
また、上述の塵埃吸引装置は、前記ノズル部が、帯電防止性を有する樹脂材料により形
成されていることが好ましい。
このようにノズル部が、帯電防止性を有する樹脂材料により形成されていると、このノ
ズル部自身が帯電し難くなる。したがって、このノズル部が光学装置に接触した場合であ
っても、このノズル部から、光学装置の構成各部に静電気の影響を与えないので、光学装
置が静電気によって故障するような不具合を抑えることができる。
【発明を実施するための最良の形態】
【００１５】
以下、本発明に係る塵埃吸引装置の実施の形態について、図面を参照しながら説明する
。図１は本発明に係る塵埃吸引装置の全体模式図、図２はノズルホース２０に備えられる
ノズル部３０の拡大斜視図である。図１における符号１は、本発明に係る塵埃吸引装置で
ある。この塵埃吸引装置１は、プロジェクタ（不図示）に内蔵される光学装置５０（図３
参照）の隙間内に入り込んだ毛羽や塵埃等のゴミを吸引するためのものである。
【００１６】
まず、塵埃吸引装置１が利用される対象の光学装置５０について、図３及び図４を参照
しながら説明する。図３は塵埃吸引装置１がゴミを吸引して除去する光学装置５０の斜視
図であり、図４は光学装置５０の一部を構成する光変調装置の分解斜視図である。
【００１７】
すなわち、この光学装置５０は、複数の色光を色光毎に画像情報に応じて変調する複数
の光変調装置６０と、この光変調装置６０で変調された各色光を合成する色合成光学装置
７０とが一体的に設けられて構成される。光変調装置６０は、図４に示すように、大まか
に、液晶パネル６１と、保持部材６２と、偏光板６３と、固定部材６４とが、ネジ部材６
５により一体に組みつけられることによって構成される。この光変調装置６０は、これら
の各部材を適宜にネジ止めさせることによって一体化させている。なお、この光学装置５
０を構成する光変調装置６０は、赤、緑、青によりなる３つの色光毎に設けられており、
各々に接続される制御ケーブル６６によって制御されている。また、この赤、緑、青によ
りなる３つの色光毎に設けられた光変調装置６０は、図３に示すように、コ字状に配置さ
れる。
【００１８】
色合成光学装置７０は、具体的には、クロスダイクロイックプリズムによって構成され
ている。色合成光学装置７０の周りに、３つの光変調装置６０が配置される。この配置さ
れた光変調装置６０と色合成光学装置７０とは、２つの台座７１，７２と、腕部７３とを
ネジ止め（不図示）することによって、これらを一体化させた光学装置５０としている。
なお、色合成光学装置７０は、図示していないが、それぞれの光変調装置６０と対向する
面に、光束入射側端面を有している。
【００１９】
光学装置５０は、このような組み立てられた後に、製品チェックとなる検査工程に移る
。この検査工程において、毛羽や塵埃等のゴミが、組み立てられた光学装置５０の隙間内
に入り込んでいないかを確認し、ゴミが入り込んでいたと確認できた場合に、塵埃吸引装
置１を用いて、そのゴミを吸引し除去する。
【００２０】
次に、この検査工程において用いられる塵埃吸引装置１について説明する。この塵埃吸
引装置１は、図１に示すように、大まかに、吸引風を発生させる吸引装置本体１０と、こ
の吸引装置本体１０に取り付けられたノズルホース２０とを具備して構成される。
【００２１】
この吸引装置本体１０では、一般的に広く用いられている吸引風を発生させる構成が採
用されている。すなわち、吸引装置本体１０は、図示しない適宜の電動モータによりファ
ンを回転させ、そのファンの回転により気圧差を発生させ、これにより吸引風を発生させ
るように構成されている。吸引装置本体１０は、この発生させた吸引風により、吸引口１
１から外気を吸引する。
【００２２】
ノズルホース２０は、その基端２０ａ側が、吸引装置本体１０の吸引風を受けるように
取り付けられている。具体的には、ノズルホース２０の基端２０ａ側の開口部２１が、吸
引装置本体１０の吸引口１１に取り付けられている。また、このノズルホース２０の先端
２０ｂ側には、光学装置５０の隙間内の奥まで挿入可能なノズル部３０が設けられている
。なお、このノズルホース２０は、シリコーン樹脂やテフロン（登録商標）樹脂等の、適
宜の樹脂によって形成されている。
【００２３】
ここで、ノズル部３０について説明する前に、このノズル部３０とノズル部３０が挿入
される光学装置５０の隙間との関係について説明する。この光学装置５０の隙間とは、特
には、この光学装置５０を構成する光変調装置６０と色合成光学装置７０との間に形成さ
れる隙間のことであり、この図示例において詳しく言えば、液晶パネル６１と偏光板６３
との間に形成された隙間Ｋのことを意味している（図４参照）。また、塵埃吸引装置１に
よって吸引して除去するゴミの特には、この光変調装置６０を構成する液晶パネル６１と
偏光板６３との間に形成される隙間Ｋ内に存するゴミとなっており、特には液晶パネル６
１の色合成光学装置７０に対向する面に付着している毛羽や塵埃等のゴミ（塵埃）である
。
【００２４】
このノズル部３０は、弾性材料で構成され、外力を受けた際に曲がるようになっている
。具体的には、このノズル部３０を備えたノズルホース２０自体が、上述したような、弾
性を有する樹脂（シリコーン樹脂やテフロン（登録商標）樹脂）によって薄い肉厚で形成
されている。これによって、このノズル部３０は、多少の力が加わるだけで曲がるように
なっている。なお、ノズル部３０は、弾性特有の復元力を有し、加わっている外力が除か
れた場合には、元の形状に復元する。
【００２５】
ノズル部３０は、この光学装置５０の隙間（光変調装置６０を構成する液晶パネル６１
と偏光板６３との間に形成される隙間Ｋ）内の奥まで挿入可能に構成されている。具体的
には、ノズル部３０の外径幅Ｗ１は、上述した液晶パネル６１と偏光板６３との間に形成
された隙間Ｋの隙間幅Ｗ２より短くされた長さに設定されて、このノズル部３０は形成さ
れている。
【００２６】
また、このノズル部３０は、図示するように、予め曲がった、つまり、長さ方向（符号
Ｌ１が先端２０ｂ（先端部３０ａ）に向って伸びる方向）に対して弓なり状に緩やかに湾
曲した形状で形成されている。なお、ノズル部３０は、この緩やかに湾曲した形状とされ
た部分の長さＬ１が、少なくとも保持部材６２の高さＬ２より長くなるように形成されて
いる。
【００２７】
このノズル部３０の先端部３０ａには、先端吸引口３１が設けられている。この先端吸
引口３１は、このノズル部３０の先端部３０ａを形成する側壁３１ａを斜めに輪切りする
ようにして切断することにより形成されている。この先端吸引口３１は、毛羽や塵埃等の
ゴミを吸引する吸入口となっている。
【００２８】
このノズル部３０は、上述したように、シリコーン樹脂やテフロン（登録商標）樹脂等
で形成されるものであって、帯電防止性を有するようになっている。具体的には、このノ
ズルホース２０を形成する際に、その材料となるシリコーン樹脂やテフロン（登録商標）
樹脂に適宜の帯電防止剤を混入させて、帯電防止性を付与するようにしている。このシリ
コーン樹脂やテフロン（登録商標）樹脂に混入される帯電防止剤としては、例えば、アニ
オン活性剤、カチオン活性剤、非イオン活性剤、両性活性剤、界面活性剤混合物等が挙げ
られる。これらの帯電防止剤は、ノズル部３０を備えたノズルホース２０を成型する際に
おいて、シリコーン樹脂やテフロン（登録商標）樹脂材料に練り込まれる。
【００２９】
以上のように構成されたノズル部３０を有するノズルホース２０は、吸引装置本体１０
に取り付けられて塵埃吸引装置１を構成する。そして、次のように、毛羽や塵埃等のゴミ
を吸引し除去する。
すなわち、上述したように、光学装置５０の製造工程において、各部の組み立てが終了
し、製品チェックとなる検査工程に入った際において、主として液晶パネル６１と偏光板
６３との間に形成される隙間Ｋ内に、ゴミが入り込んでいないかをチェックする。具体的
には、この液晶パネル６１と偏光板６３との間に光ファイバを挿入する。そして、挿入し
た光ファイバによって、隙間Ｋ内を照らし出し、液晶パネル６１に毛羽や塵埃等のゴミが
付着していないかを、液晶パネル６１の光路前段より、目視によってチェックする。
【００３０】
ここで、隙間Ｋ内においてや、液晶パネル６１上において、ゴミが付着していることを
発見した場合には、ノズルホース２０のノズル部３０を、この隙間Ｋ内に挿入する。そし
て、吸引装置本体１０の電源をオンとして吸引風を発生させ、このノズル部３０の先端吸
引口３１をゴミに向ける。そうすると、この先端吸引口３１から、そのゴミは吸入される
。ノズル部３０は、この隙間Ｋ内の奥まで挿入可能に構成されているので、この隙間（液
晶パネル６１と偏光板６３との間に形成された隙間）Ｋ内に好適に挿入できる上、その奥
まで届かせることができる。つまり、毛羽や塵埃等のゴミが光学装置５０の隙間Ｋ内に入
り込んでしまった場合であっても、光学装置５０の構成各部を傷つけることなく、光学装
置５０を分解することなく、これらのゴミを好ましく除去することができる。
【００３１】
さらに、このノズル部３０は、弾性を有するシリコーン樹脂やテフロン（登録商標）樹
脂により形成されているので、外力を受けた際に曲げさせることができる。これによって
、このノズル部３０が光学装置５０を構成する各部に衝突した場合であっても、すぐに曲
がることができて、この衝突による衝撃を緩衝させることができる。したがって、ゴミを
吸引除去することができながら、この光学装置５０を構成する各部を傷つけない。
【００３２】
また、この隙間Ｋ内に存するゴミが、吸引し難い位置にあったともしても、適宜に押し
当てるようにノズル部３０を曲げさせることができる上、弾性による形状復元性も有する
。したがって、このノズル部３０を曲げさせたり、形状を復元させたりすることが適切に
行うことができて、この先端吸引口３１は、ゴミを吸引させたい向きに、適宜向け易くす
ることができる。
【００３３】
また、ノズル部３０は、ノズル部３０が光学装置５０を構成する各部に衝突した場合や
、このノズル部３０を故意に押し当てて曲げるような場合であっても、予め湾曲した形状
に形成されて異いるので、その曲がり方向に向けて簡単に曲がり易くなって、この衝突に
よる衝撃を緩衝させることができる。さらにゴミ吸引時におけるハンドリングに優れるも
のとなる。
【００３４】
この先端吸引口３１は、このノズル部３０の先端部３０ａを形成する側壁３１ａを斜め
に輪切りするようにして切断することにより形成されているので、この側壁３１ａを直交
するように切断することにより形成された先端吸引口と比較して、開口面積を拡大させた
吸引口とすることができる。したがって、ゴミをこの先端吸引口３１から吸入させ易くな
るので、作業効率性を高める。さらに、先端吸引口３１がノズル部３０の長さ方向に対し
て斜めに切断することにより形成されているので、ノズル部３０の長さ方向と直交するよ
うな横方向にあるゴミであっても吸引し易く、さらに作業効率性を高める。
【００３５】
また、このノズル部３０を備えたノズルホース２０は、上述したように、その原材料と
なるシリコーン樹脂やテフロン（登録商標）樹脂に適宜の帯電防止剤を練り込めて成型し
、帯電防止性が付与されている。したがって、このノズル部３０が光学装置５０に接触し
た場合であっても、このノズル部３０は帯電していない状態となっているので、このノズ
ル部３０は、光学装置５０の構成各部（特に静電気に対して脆弱な液晶パネル６１）に対
して、静電気による悪影響を与え無い。
【００３６】
なお、本発明に係る塵埃吸引装置は、上述の実施の形態に限定されるものではなく、本
発明の趣旨を逸脱しない範囲において、適宜に選択変更して構成されるものであってもよ
い。
例えば、上述の塵埃吸引装置１のノズル部３０にあっては、弾性を有したシリコーン樹
脂やテフロン（登録商標）樹脂により形成されるものとなっていたが、本発明に係る塵埃
吸引装置は、弾性を有して曲がるように形成されていれば、これに限定されることなく、
適宜の弾性材料を選択することができる。また、帯電防止性を付与されるために、このシ
リコーン樹脂やテフロン（登録商標）樹脂の材料として練り込まれる帯電防止剤は、上述
の例に限定されることなく、ノズル部３０に帯電防止性を付与することができればよいも
のとされる。また、ノズル部３０の湾曲形状は、図示例に限定されることなく、適宜に湾
曲する形状を選択することができる。また、この塵埃吸引装置１を用いる対象の光学装置
としては、図３及び図４に示すような例に限定されるものではない。
【００３７】
また、上述の塵埃吸引装置１にあっては、ノズル部３０が挿入される光学装置５０の隙
間としては、光変調装置６０を構成する液晶パネル６１と偏光板６３との間に形成される
隙間Ｋとなっていた。しかしながら、光変調装置６０の隙間としては、この液晶パネル６
１と偏光板６３との間に形成される隙間に限定されることなく、光変調装置６０（特には
液晶パネル６１）と色合成光学装置７０との間に形成される適宜の隙間が対象とされる。
【００３８】
また、このノズル部３０の先端部３０ａに形成される先端吸引口３１は、図示例の位置
に限定されることなく、ノズル部３０の曲がり方向や、その反対方向の何れ側に形成され
るものであってもよい。
【図面の簡単な説明】
【００３９】
【図１】本発明に係る塵埃吸引装置の全体模式図。
【図２】ノズルホースに備えられるノズル部の拡大斜視図。
【図３】光学装置の斜視図。
【図４】光学装置の一部を構成する光変調装置の分解斜視図。
【符号の説明】
【００４０】
１…塵埃吸引装置、１０…吸引装置本体、１１…吸引口、２０…ノズルホース、２０ａ
…基端、２０ｂ…先端、２１…開口部、３０…ノズル部、３０ａ…先端部、３１…先端吸
引口、３１ａ…側壁、５０…光学装置、６０…光変調装置、６１…液晶パネル、６２…保
持部材、６３…偏光板、６４…固定部材、６５…ネジ部材、６６…制御ケーブル、７０…
色合成光学装置、７１，７２…台座、７３…腕部、Ｋ…隙間、Ｌ１…長さ、Ｗ１…外径幅
、Ｗ２…隙間幅。
【図１】
2008242120.tif 000003
【図２】
2008242120.tif 000004
【図３】
2008242120.tif 000005
【図４】
2008242120.tif 000006